(57)【要約】【課題】円形管と非円形管とを接続した場合も連結障壁部の問題が生じにくい管継手を提供する。【解決手段】一方側に円形管１１が内挿される円形筒部１が設けられ、他方側に非円形管１２が内挿される非円形筒部１２が設けられ、これらの円形筒部１１と非円形筒部１２とを対向させるように連結する対向壁３には、前記双方の管１１、１２の有効部分を連通する連通空間部３ａと、前記一方側と他方側との間の内挿物の円滑な挿入の支障となる連結障壁部３ｂとが形成され、この連結障壁部３ｂに、該連結障壁部３ｂが内挿物の円滑な挿入の支障とならないように、内挿物を案内する案内部３ｃを設けた。【選択図】図２
2006214482.tif 000002
【特許請求の範囲】
【請求項１】
一方側に円形管が内挿されるべく、内周が円形に形成された円形筒部が設けられ、他方側に非円形管が内挿されるべく、内周が非円形に形成された非円形筒部が設けられ、
前記円形筒部と前記非円形筒部とを対向させるように連結する対向壁には、前記双方の管の有効部分を連通する連通空間部と、前記一方側と他方側との間の内挿物の円滑な挿入の支障となる連結障壁部とが形成され、
この連結障壁部に、該連結障壁部が前記内挿物の円滑な挿入の支障とならないように、前記内挿物を案内する案内部を設けたことを特徴とする管継手。
【請求項２】
前記案内部は、前記連結障壁部から前記内挿物の挿入に対向する方向に立ち上がり、前記内挿物を前記連通空間部へ案内する傾斜部を備えた突設体で構成されることを特徴とする請求項１記載の管継手。
【請求項３】
前記案内部は、その連結障壁部の形状が前記内挿物を前記挿入方向にかつ前記連通空間部へ案内するように構成されたものであることを特徴とする請求項１記載の管継手。
【請求項４】
前記非円形管がその断面形状が正方形である四角管を含む多角形管であって、前記非円形筒部もこれに対応したものとなっていることを特徴とする請求項１から３のいずれか記載の管継手。
【請求項５】
前記円形筒部、前記非円形筒部の端部には、それぞれ前記円形管、前記非円形管の前記前記円形筒部、前記非円形筒部からの脱落を防止する止具を設けたことを特徴とする請求項１から４のいずれか記載の管継手。
【請求項６】
前記管が地中埋設管であり、前記管継手もこれに対応したものであることを特徴とする請求項１から５のいずれか記載の管継手。
【請求項７】
一方側に、地中埋設箱等の円形開口に取着される接続筒部が設けられ、他方側に非円形管が内挿されるべく、内周が非円形に形成された非円形筒部が設けられ、
前記接続筒部と前記非円形筒部とを対向させるように連結する対向壁には、前記双方の管の有効部分を連通する連通空間部と、前記一方側と他方側との間の内挿物の円滑な挿入の支障となる連結障壁部とが形成され、
この連結障壁部に、該連結障壁部が前記内挿物の円滑な挿入の支障とならないように、前記内挿物を案内する案内部を設けたことを特徴とする管継手。
【請求項８】
前記案内部は、前記連結障壁部から前記内挿物の挿入に対向する方向に立ち上がり、前記内挿物を前記連通空間部へ案内する傾斜部を備えた突設体で構成されることを特徴とする請求項７記載の管継手。
【発明の詳細な説明】
【技術分野】
【０００１】
本発明は、配管や配線を地中埋設する場合に、これらを保護するために用いられる地中埋設管やその他の、円形管などと非円形管とを接続するのに用いられる管継手に関する。
【背景技術】
【０００２】
地中に配管や配線を埋設する場合には、これらを保護するのに地中埋設管が用いられることがあり、この地中埋設管は、多くは、屈曲可能なように蛇腹タイプとなっている。
【０００３】
このような蛇腹タイプの地中埋設管を接続する管継手としては、特許文献１に記載されたものが提案されており、図１１（ａ）は、その使用態様を示す斜視図、（ｂ）は同接続状態の管継手の縦断面図である。
【０００４】
この管継手３０は、継手本体２５と、二分割され、一体化された際には継手本体２５の端部を抱き込む止具２１とを備えている。
【０００５】
継手本体２５は、全体が蛇腹状の円形管Ｐ（山部をＰｍ、谷部をＰｖとする。）を内部に挿入可能とされた筒状体であって、筒軸中央部分内側に、両側から挿入された円形管Ｐの端面が当接する対向壁２８が設けられ、外周両端付近には、止具２１を填まり込ませる係合環状凸凹部２７が設けられ、この環状凸凹部２７の継手本体２５の筒軸中央側には、一体化前の止具２１を非拘束状態で保持する保持係止部２６が設けられている。
【０００６】
対向壁２８は、両側に挿入される円形管Ｐの内部有効空間を連通する連通空間部２８ａを備えている。
【０００７】
止具２１は、継手本体２５の係合環状凸凹部２７に填まり込むような係合環状凹凸部２４、また、その二分割された一方側だけには、一体化された際に、管継手３０に挿入された円形管Ｐの谷部Ｐｖに填まり込む環状の止突起２３、一体化前の状態で、継手本体２５の保持係止部２６と係合して、止突起２３が円形管Ｐの管継手３０への挿脱に支障にならないように非拘束状態に保持する保持突起２２が設けられている。
【０００８】
このような構成で、この管継手３０によれば、止具２１の保持突起２２が継手本体２５の保持係止部２６に係止された非拘束状態（図１１（ｂ）の右側）では、その状態が自立保持され、作業者は、円形管Ｐを両手を使って挿脱できる。
【０００９】
円形管Ｐの挿入、セットが完了した後には、止具２１を一体化すると、止突起２３が円形管Ｐの谷部Ｐｖに填まり込む拘束状態（図１１（ｂ）の左側）となり、管継手３０による円形管Ｐの連結が完了する。この状態では、円形管Ｐが管継手３０から抜け落ちることがない。
【００１０】
また、止具２１の保持突起２２は弾性的に屈曲可能で、拘束状態では、図のような管継手３０の内部側には障害とならない屈曲状態となり、拘束状態から解放すると、非拘束状態の起立状態となり得、繰り返し使用が可能である。
【００１１】
このように、この管継手３０は、同じ管径の円形管Ｐを連結する場合には、便利なものであったが、円形管Ｐと非円形管とを連結することはできなかった。
【００１２】
一方、近年、地中埋設管としては、円形管だけでなく、特許文献２、３、４に記載されているように、角形管などの非円形管も用いられるようになった。
【００１３】
例えば、角形管は、円形管に比べ、施行面に対して設置する場合の安定性が良く、また、複数を密接させて並列可能であるため施工性もよく、加えて、円形管に比べて内部空間を広くもうけることができるため、特に、地中埋設管として優れている。
【００１４】
しかし、角形管と円形管を単純に連結するとしても、その断面形状の相違から、連結部分に生じる段差が、一方の管から他方の管に呼び線やケーブルなどの挿入物を送り込み又は引き込む際の障害となる連結障壁部となり、作業性が悪いという問題があった。
【００１５】
また、角形管を、ハンドホール等の地中埋設箱、分電箱等に接続させる場合、そのハンドホール等にはホルソー等の穿孔具により円形の接続孔が形成されていることが多いが、この円形の接続孔と角形管の断面形状との相違から生じる連結障壁部もまた、挿入物の引き込み等の障害となっていた。
【００１６】
この問題は、上記特許文献１はもとより、特許文献２、３、４においても解決されていなかった。
【００１７】
また、この問題は、地中埋設管に限られず、一般に、蛇腹状でないものも含め、円形管と非円形管、あるいは、円形孔と非円形管とを接続する管継手にも同様に生じるものである。
【特許文献１】特開２０００−２８３３５３号公報（図１、図２）
【特許文献２】特開平１０−２１５５１４号公報（図１）
【特許文献３】特開平１０−３２２８６７号公報（図１）
【特許文献４】特開２００３−２３５１２３号公報（図１）
【発明の開示】
【発明が解決しようとする課題】
【００１８】
本発明は、上記の問題を解決しようとするものであり、円形管あるいは円形孔と非円形管とを接続した場合も連結障壁部の問題が生じにくい管継手を提供することを目的とする。
【課題を解決するための手段】
【００１９】
請求項１記載の管継手は、一方側に円形管が内挿されるべく、内周が円形に形成された円形筒部が設けられ、他方側に非円形管が内挿されるべく、内周が非円形に形成された非円形筒部が設けられ、
前記円形筒部と前記非円形筒部とを対向させるように連結する対向壁には、前記双方の管の有効部分を連通する連通空間部と、前記一方側と他方側との間の内挿物の円滑な挿入の支障となる連結障壁部とが形成され、
この連結障壁部に、該連結障壁部が前記内挿物の円滑な挿入の支障とならないように、前記内挿物を案内する案内部を設けたことを特徴とする。
【００２０】
ここで、連結障壁部は、円形管、非円形管の管径（有効径）、それぞれの形状に応じて、円形管から非円形管への挿入時、あるいは、その反対方向の挿入時、あるいは、双方向の挿入時のいずれの場合にも生じ得るものである。
【００２１】
請求項２記載の管継手は、請求項１に従属し、前記案内部は、前記連結障壁部から前記内挿物の挿入に対向する方向に立ち上がり、前記内挿物を前記連通空間部へ案内する傾斜部を備えた突設体で構成されることを特徴とする。
【００２２】
請求項３記載の管継手は、請求項１に従属し、前記案内部は、その連結障壁部の形状が前記内挿物を前記挿入方向にかつ前記連通空間部へ案内するように構成されたものであることを特徴とする。
【００２３】
請求項４記載の管継手は、請求項１から３のいずれかに従属し、前記非円形管がその断面形状が正方形である四角管を含む多角形管であって、前記非円形筒部もこれに対応したものとなっていることを特徴とする。
【００２４】
請求項５記載の管継手は、請求項１から４のいずれかに従属し、前記円形筒部、前記非円形筒部の端部には、それぞれ前記円形管、前記非円形管の前記前記円形筒部、前記非円形筒部からの脱落を防止する止具を設けたことを特徴とする。
【００２５】
請求項６記載の管継手は、請求項１から５のいずれかに従属し、前記管が地中埋設管であり、前記管継手もこれに対応したものであることを特徴とする。
【００２６】
請求項７記載の管継手は、一方側に、地中埋設箱等の円形開口に取着される接続筒部が設けられ、他方側に非円形管が内挿されるべく、内周が非円形に形成された非円形筒部が設けられ、前記接続筒部と前記非円形筒部とを対向させるように連結する対向壁には、前記双方の管の有効部分を連通する連通空間部と、前記一方側と他方側との間の内挿物の円滑な挿入の支障となる連結障壁部とが形成され、
この連結障壁部に、該連結障壁部が前記内挿物の円滑な挿入の支障とならないように、前記内挿物を案内する案内部を設けたことを特徴とする。
【００２７】
ここで、連結障壁部は、円形開口、非円形管の管径（有効径）、それぞれの形状に応じて、円形開口から非円形管への挿入時、あるいは、その反対方向の挿入時、あるいは、双方向の挿入時のいずれの場合にも生じ得るものである。
【００２８】
請求項８記載の管継手は、請求項７に従属し、前記案内部は、前記連結障壁部から前記内挿物の挿入に対向する方向に立ち上がり、前記内挿物を前記連通空間部へ案内する傾斜部を備えた突設体で構成されることを特徴とする。
【発明の効果】
【００２９】
請求項１記載の管継手によれば、連結障壁部に、該連結障壁部が内挿物の円滑な挿入の支障とならないように、前記内挿物を案内する案内部を設けたので、連結障壁部が内挿物の挿入の支障となる問題を解決することができる。
【００３０】
請求項２記載の管継手によれば、請求項１の効果に加え、前記案内部は、前記連結障壁部から前記内挿物の挿入に対向する方向に立ち上がり、前記内挿物を前記連通空間部へ案内する傾斜部を備えた突設体で構成されるようにしたので、その効果を確実に発揮し、また、案内部を形成する材料を節約することができる。
【００３１】
請求項３記載の管継手によれば、請求項１の効果に加え、前記案内部は、その連結障壁部の形状が前記内挿物を前記挿入方向にかつ前記連通空間部へ案内するように構成されたものであるので、案内部の成形が容易である。
【００３２】
請求項４記載の管継手によれば、請求項１から３のいずれかの効果に加え、前記非円形管がその断面形状が正方形である四角管を含む多角形管であって、前記非円形筒部もこれに対応したものとなっているので、管継手の適用範囲が広くなる。
【００３３】
請求項５記載の管継手によれば、請求項１から４のいずれかの効果に加え、前記円形筒部、前記非円形筒部の端部には、それぞれ前記円形管、前記非円形管の前記前記円形筒部、前記非円形筒部からの脱落を防止する止具を設けたので、挿入された、円形管、非円形管が脱落することがない。
【００３４】
請求項６記載の管継手によれば、請求項１から５のいずれかの効果に加え、前記管が地中埋設管であり、前記管継手もこれに対応したものであるので、上記の効果を地中埋設管用として発揮する。
【００３５】
請求項７記載の管継手によれば、請求項１の管継手の前記円形筒部が、地中埋設箱等の円形開口に取着される接続筒部となっているので、請求項１の効果を、円形開口との連結についても発揮する。
【００３６】
請求項８記載の管継手によれば、請求項７の効果に加え、前記案内部は、前記連結障壁部から前記内挿物の挿入に対向する方向に立ち上がり、前記内挿物を前記連通空間部へ案内する傾斜部を備えた突設体で構成されるようにしたので、その効果を確実に発揮し、また、案内部を形成する材料を節約することができる。
【発明を実施するための最良の形態】
【００３７】
以下に、本発明の実施の形態（実施例）について、図面を用いて説明する。
【実施例１】
【００３８】
図１は、本発明の管継手の一例の正面図、図２（ａ）は、図１の管継手の右側面図、（ｂ）は（ａ）のＡＡ断面図、図３は図２のＣ矢視要部斜視図、図４は、図１の管継手に用いる止具を示すもので、（ａ）はその前面図、（ｂ）は正面図、（ｃ）は側面図、図５は、図１の管継手に用いる他の止具を示すもので、（ａ）はその正面図、（ｂ）は側面図、（ｃ）は（ｂ）のＤＤ断面図、図６は、図１の管継手で接続する円形管の一例を示す図、図７は、図１の管継手で接続する非円形管の一例を示すもので、（ａ）はその正面図、（ｂ）は前面図である。
【００３９】
この管継手５は、地中埋設管として用いる蛇腹状の円形管１１（図６）と、同様に蛇腹状の角形管である非円形管１２（図７）とを連結するもので、この円形管１１が内挿されるべく、内周が円形に形成された円形筒部１と、他方側に非円形管１２が内挿されるべく、内周が非円形に形成された非円形筒部２とを備え、これらの円形筒部１と非円形筒部２とを対向させるように連結する対向壁３には、前記双方の管１１、１２の有効部分を連通する連通空間部３ａと、その一方の管１２から他方の管１１への内挿物の円滑な挿入の支障となる連結障壁部３ｂとが形成されている。
【００４０】
ここで、この管継手５においては、この連結障壁部３ｂに、図２（ｂ）に示すように、該連結障壁部３ｂが内挿物の円滑な挿入の支障とならないように、内挿物を案内する案内部３ｃを設けたことを特徴とする。
【００４１】
この管継手５で連結する一方の円形管１１は、図６に示すような蛇腹状であり、その大きい径部分の山部１１ａと、小さい径部分の谷部１１ｂとが連続形成されている。その内周部の有効部分を１１ｃという。この有効部分１１ｃは、この円形管１１で保護される内挿物、配管や配線を挿通し得る最大空間である。
【００４２】
この円形管１１は、管１１の伸長方向に対してどの方向にでも一定程度屈曲できるという特長がある。
【００４３】
この管継手５で連結する他方の非円形管１２は、図７に示すような蛇腹状の四角形管であり、その大きい径（この管１２については対辺寸法を意味する。）部分の山部１２ａと、小さい径部分の谷部１２ｂとが連続形成されている。その内周部の有効部分を１２ｃという。この有効部分１２ｃは、この非円形管１１で保護される内挿物、配管や配線を挿通し得る最大空間である。
【００４４】
この非円形管１２は、管１２の伸長方向に対して、その四角断面の各辺方向には一定程度屈曲可能であるが、それ以外の方向には屈曲できないという特徴があり、また、上述のように、現場での設置面への設置、並列、積み重ねがしやすく、また、密度高く設置できるという特徴もあるものである。
【００４５】
この例では、非円形管１２の有効部分１２ｃの内接円の径が、円形管１１の有効部分１１ｃの径と同じものとなっており、したがって、上記連通空間部３ａは、円形管１１の有効部分１１ｃと同じであり、一方、上記連結障壁部３ｂは、非円形管１２の四角形状の有効部分１２ｃから内接円の連通空間部３ａを除いた四隅の部分となっている。
【００４６】
このような連通空間部３ａは、非円形管１２から円形管１１に内挿物を挿通させようとするときに、その挿通の障害となるという問題を有する。
【００４７】
しかしながら、この管継手５では、連結障壁部３ｂが内挿物の円滑な挿入の支障とならないように、内挿物を案内する案内部３ｃを設けているので、このような連結障壁部３ｂが内挿物の円滑な挿入の支障とならず、連結障壁部３ｂの問題が生じにくい。
【００４８】
案内部３ｃの具体的な構成としては、この例では、図３の斜視図でより明確に解るように、連結障壁部３ｂから管挿入に対向する方向に立ち上がり、内挿物を連通空間部３ａへ案内する傾斜部３ｄを備えた複数の突設体３ｅを用いている。
【００４９】
このような構成の案内部３ｃは、上記効果に加え、案内部３ｃを設けるための材料を最小にできる。また、その突設体３ｅと非円形筒部２の内周との隙間には、非円形管１２がちょうど填まり込み、好適に非円形管１２と係合する。
【００５０】
管継手５に円形管１１、非円形管１２を挿入した後は、止具４（図４）、４′（図５）を、管継手５の止具取付部１ａ、２ａに取着する。
【００５１】
この止具４、４′は、図１１の従来例の止具２１の上半分と同様の機能を果たすものであり、それぞれ、対応する円形管１１、非円形管１２の谷部１１ｂ、１２ｂに填まり込む止突起４ａ、４ｃを備え、締め付け孔４ｂ、４ｄにネジ手段を挿通して、管継手の止具取付部１ａ、２ａにネジ締結されるものである。
【００５２】
こうして止具４、４′が、管継手５にネジ締結された後には、挿入された円形管１１、非円形管１２が管継手５から抜け落ちることがない。
【００５３】
円形管１１、非円形管１２の材料としては、その屈曲性から、ポリエチレン（ＰＥ）が、管継手５、止具４、４′の材料としては、その成形性から、ポリ塩化ビニール（ＰＶＣ）が好適であるが、これに限定されるものではなく、これらの条件を満足する合成樹脂、あるいは、鉄鋼、アルミ、黄銅、銅などであってもよい。
【実施例２】
【００５４】
図８は、本発明の管継手の他例を示すもので、（ａ）はその右側面図、（ｂ）は（ａ）のＢＢ断面図である。これより、すでに説明した部分と同じ部分には同じ符号を付して重複説明を省略する。また、煩雑さを避けるために、全ての符号を繰り返して記載しない場合がある。
【００５５】
この管継手５Ａは、図１、２の管継手５に比べ、案内部３ｆが、突設体で構成されるのではなく、図８（ｂ）に示すように、連結障壁部３ｆの形状が管継手５の傾斜部３ｄと同様に内挿物を連通空間部３ａへ案内するように構成された点が異なっている。つまり、連結障壁部３ｆそのものが案内部３ｆになるように構成されているものである。
【００５６】
このようにしても、図１、２の管継手５と同様に、連結障壁部３ｆの問題を生じにくくすることができる。また、案内部３ｆの成形が容易である。
【実施例３】
【００５７】
図９は、本発明の管継手の他例を示す一部破断の正面図、図１０は、図９の管継手に用いるフタを示すもので、（ａ）はその一部破断の側面図、（ｂ）は正面図である。
【００５８】
この管継手５Ｂは、図１の管継手５に比べ、その円形筒部１に相当する部分が、地中埋設箱１３の円形開口１３ａに取着される接続筒部１′となっている点が異なっている。
【００５９】
つまり、この接続筒部１′には、その内周は円形管１１が挿入されるものではなく、フタ６の雄ネジ部６ｂがネジ係合するように、雌ネジ１ｃが形成されている。
【００６０】
フタ６は、図１０に示すように、外周に雄ネジ部６ｂが設けられた円筒の端部に八角形のフランジ６ａが設けられたもので、この雄ネジ部６ｂの外径が、地中埋設箱１３の円形開口１３ａに挿入可能となっている。
【００６１】
この管継手５Ｂを用いる場合は、フタ６の雄ネジ部６ｂを地中埋設箱１３の円形開口１３ａに挿入し、その円形開口１３ａからの突出部分に管継手５Ｂの雌ネジ１ｃが係合するようにして、フタ６を回転させて、このフタ６と管継手５Ｂとの間に地中埋設箱１３の円形開口１３ａを挟むようにするのである。
【００６２】
連結障壁部３ｂは、このように円形孔との接続にも生じるものであり、このような管継手５Ｂは、図７に示すように、その案内部３ｃにより、その場合にも、図１の管継手５と同様の効果を発揮し、連結障壁部３ｂの問題を生じにくくする。
【００６３】
なお、上記では、非円形管の例として、四角形の角形管について説明したが、非円形管としては、これに限定されず、あらゆる形状の矩形管、円形と矩形の組み合わせの管など、円形管と連結した際に、連結障壁部の生じるような円形でない管の全てを含むものである。
【００６４】
この際、連結障壁部は、連結される円形管、円形開口、非円形管の有効径、形状によって、円形管、円形開口から非円形管の方向に内挿物を挿入する場合、また、双方の挿入の場合にも生じ得るものであり、それらの場合にも、本発明の案内部は有効である。
【００６５】
また、管は蛇腹状のものに限定されず、蛇腹のような段々のないものであってもよい。さらに、管は、地中埋設管に限定されず、天井配線、壁内配線、外気中配線などの保護に用いる保護管などであってもよい。
【産業上の利用可能性】
【００６６】
本発明の管継手は、円形管などと非円形管とを連結障壁部の問題なく連結することが要請されるあらゆる産業上の分野、特に、地中埋設管に用いることができる。
【図面の簡単な説明】
【００６７】
【図１】本発明の管継手の一例の正面図
【図２】（ａ）は図１の管継手の右側面図、（ｂ）は（ａ）のＡＡ断面図
【図３】図２のＣ矢視要部斜視図
【図４】図１の管継手に用いる止具を示すもので、（ａ）はその前面図、（ｂ）は正面図、（ｃ）は側面図
【図５】図１の管継手に用いる他の止具を示すもので、（ａ）はその正面図、（ｂ）は側面図、（ｃ）は（ｂ）のＤＤ断面図
【図６】図１の管継手で接続する円形管の一例を示す図
【図７】図１の管継手で接続する非円形管の一例を示すもので、（ａ）はその正面図、（ｂ）は前面図
【図８】本発明の管継手の他例を示すもので、（ａ）はその右側面図、（ｂ）は（ａ）のＢＢ断面図
【図９】本発明の管継手の他例を示す一部破断の正面図
【図１０】図９の管継手に用いるフタを示すもので、（ａ）はその一部破断の側面図、（ｂ）は正面図
【図１１】（ａ）は、従来の管継手の使用態様を示す斜視図、（ｂ）は同接続状態の管継手の縦断面図
【符号の説明】
【００６８】
１      円形筒部
１Ａ    接続筒部
２      非円形筒部
３、３Ａ      対向壁
３ａ    連通空間部
３ｂ    連結障壁部
３ｃ    案内部
３ｄ    傾斜部
３ｅ    突設体
３ｆ    案内部
４      止具
４′    止具
５、５Ａ、５Ｂ      管継手
６      フタ
１１      円形管
１２      非円形管
１３      地中埋設箱
１３ａ    円形開口
【図１】
2006214482.tif 000003
【図２】
2006214482.tif 000004
【図３】
2006214482.tif 000005
【図４】
2006214482.tif 000006
【図５】
2006214482.tif 000007
【図６】
2006214482.tif 000008
【図７】
2006214482.tif 000009
【図８】
2006214482.tif 000010
【図９】
2006214482.tif 000011
【図１０】
2006214482.tif 000012
【図１１】
2006214482.tif 000013